(57)【特許請求の範囲】
【請求項１】
壁体が、複数のパネルを目地材と水密材を介して上下方向に順次突き合せた形態である収納庫であって、
前記パネルは、その上端面に長手方向に連続した上係合部、下端面に長手方向に連続した下係合部を有し、
前記目地材は、前記下係合部に係合する長手方向に連続した上被係合部と、前記上係合部に係合する長手方向に連続した下被係合部を有し、
上下のパネルにおける上のパネルの下係合部と目地材の上被係合部が係合し、この目地材の下被係合部が下のパネルの上係合部に係合し、この目地材とパネルとの間に水密材が設けられていることを特徴とする収納庫。
【請求項２】
目地材は水密材取付部を有し、
この水密材取付部に水密材が取付けてある請求項１記載の収納庫。
【請求項３】
収納庫内部に補強材を固定し、
この補強材は各パネルの長手方向中間部に位置し、
その補強材からビスを各目地材にそれぞれ螺合して補強材と目地材を連結した請求項１又は２記載の収納庫。
【発明の詳細な説明】
【０００１】
【発明の属する技術分野】
本発明は、屋外に設置される収納庫に関する。
【０００２】
【従来の技術】
屋外に設置される収納庫としては種々のものが知られている。
例えば、４つのコーナー部の柱間に壁体を取付けると共に、屋根と床板を取付けて開口部を有する箱形状の本体と、この開口部を開閉する扉を備えた収納庫が知られている。
【０００３】
【発明が解決しようとする課題】
前述の収納庫において、壁体を波板などの薄いパネルを重ね合せた形状とすれば、その壁体から雨水等が収納庫内部に浸入しないようにできる。
しかし、壁体を厚いパネルとし、上下のパネル相互を突き合せた場合には、その突き合せ部（横目地部）から雨水等が収納庫内部に浸入してしまう。
このことを防止するには、上下のパネル相互の突き合せ部（横目地部）に湿式シール材を充填して水密することが考えられるが、このやり方では湿式シール材の充填作業が面倒で、熟練を要するので、収納庫の組立てが面倒であると共に、水密の信頼性が低下する。
また、上下のパネル相互をただ単に突き合せただけでは、その上下のパネル相互の連結強度が弱く、外れたりする恐れがある。
【０００４】
本発明は前述の課題を解決するためになされたもので、その目的は、上下のパネル相互の突き合せ部を確実に水密できると共に、上下のパネル相互の連結強度が強く、しかも簡単に突き合せ連結できるようにした収納庫を提供することである。
【０００５】
【課題を解決するための手段】
第１の発明は、壁体１が、複数のパネル２０を目地材２１と水密材２２を介して上下方向に順次突き合せた形態である収納庫であって、
前記パネル２０は、その上端面２０ａに長手方向に連続した上係合部、下端面２０ｂに長手方向に連続した下係合部を有し、
前記目地材２１は、前記下係合部に係合する長手方向に連続した上被係合部と、前記上係合部に係合する長手方向に連続した下被係合部を有し、
上下のパネル２０における上のパネル２０の下係合部と目地材２１の上被係合部が係合し、この目地材２１の下被係合部が下のパネルの上係合部に係合し、この目地材２１とパネル２０との間に水密材２２が設けられていることを特徴とする収納庫である。
【０００６】
第２の発明は、第１の発明において目地材２１は水密材取付部２８を有し、
この水密材取付部２８に水密材２２が取付けてある収納庫である。
【０００７】
第３の発明は、第１又は第２の発明において収納庫内部に補強材４０を固定し、
この補強材４０は各パネル２０の長手方向中間部に位置し、
その補強材４０からビス４１を各目地材２１にそれぞれ螺合して補強材４０と目地材２１を連結した収納庫である。
【０００８】
【作  用】
第１の発明によれば、上下のパネル相互の突き合せ部を水密材２２で確実に水密できる。
また、目地材２１の上下被係合部が上下のパネル２０の下係合部、上係合部にそれぞれ係合しているので、上下のパネル相互が目地材２１で強固に連結され、その上下のパネル相互の連結強度が強い。
また、パネル２０自体が目地材２１の上下被係合部によって補強され、太陽光の熱や強風雨などでパネル２０が反ることを防止できる。
また、目地材２１と水密材２２を設ければ良いから、上下のパネル相互を簡単に突き合せ連結できる。
【０００９】
第２の発明によれば、目地材２１に水密材２２をあらかじめ取付け、その目地材２１を取付けることで水密材２２を同時に取付けできる。
よって、上下のパネル相互の連結がより一層容易である。
【００１０】
第３の発明によれば、各パネル２０の長手方向中間部が補強材４０で支持されて補強されるので、長尺なパネル２０であっても強風雨などで反ることがない。
【００１１】
【発明の実施の形態】
図１に示すように、少なくとも３つの壁体１と、屋根２と、床３で開口部４を有する箱状の本体５と、その開口部４を開閉する扉６で収納庫を形成している。この実施の形態では、左右の側面と背面が壁体１で前面に開口部４を有し、その開口部４に３枚の扉６が引き違いに装着してある。
前記本体５は、左右一対の前柱１０と左右一対の後柱１１と、各柱間に横架した前上横材１２、前下横材１３、後上横材１４、後下横材１５、左右の側上横材１６、側下横材１７で矩形状の骨組体１８を有する。
この骨組体１８は左右の側面枠部１８ａと後面枠部１８ｂと前面枠部１８ｃと上面枠部１８ｄと下面枠部１８ｅを有し、左右の側面枠部１８ａ、後面枠部１８ｂにパネル２０を上下方向に順次突き合せて取付けて壁体１を形成している。
前記前面枠部１８ｃが開口部４で、下面枠部１８ｅに床材が取付けられて床３を形成している。
なお、図１は収納庫の全体形態を理解し易く図示してあり、各部材の形状、寸法等は後述する具体形状と異なる部分がある。
【００１２】
次に各部材の具体形状の一例を説明する。
前柱１０は図２に示すように隣接したパネル取付面１０ａと戸当り面１０ｂを有する。この実施の形態では矩形断面中空形状であるが、これに限ることはない。
前記パネル取付面１０ａには凹部１０ｃが前柱１０の長手方向に連続して有し、この凹部１０ｃは後柱１１に向けて開口している。
前記後柱１１は隣接した第１・第２パネル取付面１１ａ，１１ｂを有する。この実施の形態では矩形断面中空形状であるが、これに限ることはない。
前記第１・第２パネル取付面１１ａ，１１ｂには第１・第２凹部１１ｃ，１１ｄがそれぞれ形成してあり、その第１凹部１１ｃは前柱１０の凹部１０ｃと相対向し、第２凹部１１ｄ相互が相対向している。
【００１３】
前記前上横材１２と前下横材１３は図３に示すように複数の上ガイド１２ａ、下ガイド１３ａを有し、この上ガイド１２ａと下ガイド１３ａに沿って扉６が面内方向に移動する。
この前上横材１２、前下横材１３の長手方向両端部が連結ブラケット３０で左右の前柱１０の戸当り面１０ｂの上下寄りにそれぞれ連結してある。
前記後上横材１４と後下横材１５の長手方向両端部は図３に示すように後柱１１の第２パネル面１１ｂの上下寄りに連結ブラケット３１でそれぞれ連結してある。
前記後上横材１４と屋根板３２の後垂下片３２ａで下向きの凹部１４ａを形成している。
前記後下横材１５は上向きの凹部１５ａを有し、この凹部１５ａと前記凹部１４ａは相対向していると共に、前記後柱１１の第２凹部１１ｄと連続している。つまり、一対の後柱１１と後上横材１４と後下横材１５で方形状の後面枠部１８ｂを形成し、その後面枠部１８ｂの内面には四周連続した凹部を有する。
【００１４】
前記側上横材１６と側下横材１７の長手方向両端部は図２、図３、図４に示すように前柱１０のパネル取付面１０ａ、後柱１１の第１パネル取付面１１ａの上下寄りにブラケット３３でそれぞれ連続してある。
前記側上横材１６と屋根板３２の側垂下片３２ｂで下向きの凹部１６ａを形成している。
前記側下横材１７は上向きの凹部１７ａを有し、この凹部１７ａと前記凹部１６ａは相対向していると共に、前柱１０の凹部１０ｃ及び後柱１１の第１凹部１１ｃと連続している。
つまり、前柱１０と後柱１１と側上横材１６と後下横材１７で方形状の側面枠部１８ａを形成し、その側面枠部１８ａの内面には四周連続した凹部を有する。
【００１５】
前記パネル２０は所定の厚さと幅（上下寸法）と長さ（左右寸法）を有する板状体である。
この実施の形態では、パネル２０は上下寸法が小さく左右寸法が長い横長で、中空部を有する板状体である。例えば、木粉を混入した合成樹脂を成形した再生木パネルである。
前記上下のパネル２０相互の突き合せ部は図３、図４に示すように、目地材２１で連結され、この目地材２１と下のパネル２０の上端面との間を水密材２２で水密している。
最上部のパネル２０の上縁部は図３、図４に示すように各凹部１４ａ，１６ａに嵌まり込み、最下部のパネル２０の下縁部は図３、図４に示すように各凹部１７ａ，１５ａに嵌まり込み、セッティングブロック３４に当接している。
各パネル２０の左右両端部は図２に示すように凹部１０ｃと第１凹部１１ｃ、一対の第２凹部１１ｄにそれぞれ嵌まり込んでいる。
【００１６】
次に、上下のパネル２０相互の突き合せ部を図５に基づいて説明する。
前記パネル２０の上端面２０ａには上係合部、例えば上向き凹溝２３が長手方向に連続して有し、下端面２０ｂには下係合部、例えば下向き凹溝２４が長手方向に連続して有する。
前記目地材２１はパネル２０の全長とほぼ同一、好ましくは等しい長さで、本体部２５と、その上面２５ａに設けられ前記下係合部に係合する上被係合部、例えば前記下向き凹溝２４に嵌まり込む上向き突部２６、本体部２５の下面２５ｂに設けられ前記上係合部に係合する下被係合部、例えば前記上向き凹溝２３に嵌まり込む下向き突部２７を有する。
前記本体部２５はパネル２０とほぼ同一幅で、その上面２５ａに上のパネル２０の下端面２０ｂが接し、下面２５ｂが下のパネル２０の上端面２０ａに接する。
前記本体部２５の下面２５ｂと下のパネル２０の上端面２０ａとの間に水密材２２が設けられて水密している。
この水密材２２は乾式、例えば発泡ポリエチレンの成形品である。
【００１７】
このようであるから、上下のパネル相互の突き合せ部を確実に水密できる。特に、パネル２０として再生木パネルを用いた場合でも確実に水密できる。
また、上下のパネル２０は目地材２１で厚さ方向、つまり収納庫内外方向に動かないように連結されるので、上下のパネル相互の連結強度が強い。
また、パネル２０の上向き凹溝２３、下向き凹溝２４に上下の目地材２１の下向き突部２７、上向き突部２６が長手方向全長に亘って嵌め込まれているので、そのパネル２０の厚さ方向の強度が目地材２１で補強される。
よって、太陽光の熱や強風雨などによってパネル２０が反る（長手方向に湾曲変形すること）ことを防止できる。
また、目地材２１と水密材２２を設ければ良いから、上下のパネル相互を簡単に突き合せ連結できる。
【００１８】
この実施の形態では、目地材２１は下部寄りに水密材取付部２８を有し、この水密材取付部２８に水密材２２をあらかじめ取付け、その状態で目地材２１を水密材２２とともに取付けできるので、上下のパネル相互の突き合せ連結がより一層容易である。
また、水密材２２を収納庫の外側から取付ける必要がなく、障害物、例えば隣地境界の壁がある場合でも容易に取付けできる。
【００１９】
前記目地材２１の具体形状の一例を説明するが、これに限ることはない。
本体部２５は矩形断面中空形状で、上向き突部２６は一対の上向き片２６ａで、下向き突部２７は縦片２７ａと横片２７ｂでほぼ逆Ｔ字形状であって、目地材２１はアルミ押出形材である。
これによって、目地材２１は熱等による長手方向の湾曲変形が少ない。
【００２０】
前記本体部２５の下面２５ｂにおける縦片２７ａよりも厚さ方向一側寄り部分（収納庫外側部分）は凹形状で、この凹部２９と縦片２７ａと横片２７ｂで前述の水密材取付部２８を形成し、この水密材取付部２８は厚さ方向一側寄り下方部分が開口したほぼＣ字形状である。
前記水密材２２は断面円形の長尺材で、前記水密材取付部２８に取付けられ、その開口部２８ａから突出した部分が下のパネル２０の上縁部に圧接する。
【００２１】
前記パネル２０が長尺の場合には、収納庫内部において、そのパネル２０の長手方向中間に補強材４０を上下の各パネル２０の内側面に接するようにして設け、この補強材４０からビス４１を目地材２１の本体部２５に螺合する。
例えば、図２、図３、図４に示すように、後上横材１４と後下横材１５とに亘って補強材４０をビス４２で固着し、この補強材４０からビス４１、例えばテクスビスを図５に仮想線で示すように目地材２１の本体部２５に螺合する。
【００２２】
このようにすることで、枠部の開口寸法が大きく、パネル２０が長尺である場合に、その長尺のパネル２０が強風雨なとで湾曲変形しないようにできる。
また、補強材４０を収納庫内部に取付け、ビス４１は収納庫内部から螺合できるので、障害物、例えば隣接境界の壁がある場合でも作業できる。
【００２３】
前記補強材４０は図２と図３と図４に示すように、目地材連結部４０ａと棚取付部４０ｂを有する形状で、その目地材連結部４０ａがビス４１で目地材２１に連結される。
前記棚取付部４０ｂには図３に示すように切欠溝４３が上下方向に間隔を置いて複数形成してある。
この切欠溝４３に棚板ブラケット４４のフック４４ａを係合して棚板ブラケット４４を取付け、この棚板ブラケット４４に棚板４５を取付けて棚としてある。このようであるから、補強材４０をパネル２０の補強と棚取付けに兼用できる。
なお、図２に示すように一方の後柱１１のパネル取付面１１ｂには棚取付用縦材４６が取付けてあり、この棚取付用縦材４６に棚板ブラケット４４が前述と同様に取付けてある。
【００２４】
次に、パネル２０の取付けについて説明する。
パネル２０は対向した凹部間にけんどん式に嵌め込んで取付けるが、このようにするとパネル２０の凹部への嵌め込み寸法（のみ込み寸法）が不揃いとなる。このために、図２に示すように対向した一対の第２凹部１１ｄの一方にパネルスペーサー５０を取付け、このパネルスペーサー５０でパネル２０の長手方向位置を決めて一対の第２凹部１１ｄへの嵌め込み寸法を同一とする。
【００２５】
前記パネルスペーサー５０は図６に示すように、基片５１とストッパ片５２と一対のヒレ片５３を有し、その一対のヒレ片５３は八字形状で、かつ自由状態の時の寸法ａが仮想線で示すように第２凹部１１ｄの内幅ｂよりも大きい。
前記パネルスペーサー５０を第２凹部１１ｄに押し込むことで一対のストッパ片５２が弾性変形し、第２凹部１１ｄ内に押し込められると弾性復元力で内面に押しつけられる。
よって、パネルスペーサー５０を第２凹部１１ｄ内に容易に取付けできると共に、取付けた状態でずれ落ちることがない。
【００２６】
前記屋根板３２は図３に示すように左右の側上横材１６に前ブラケット６０と後ブラケット６１を介して取付けられ、この屋根板３２は前部が高く後部が低いように水切り勾配を有して取付けられる。
前記屋根板３２の前部は前垂下片３２ｃ、鉤片３２ｄを有し、その鉤片３２ｄが前上横材１２の前面１２ｂに接する。
これによって、屋根板３２の前部寄りと前上横材１２とは離隔し、両者の間に空間部６２を形成している。
前記空間部６２は収納庫内に連通すると共に、前記鉤片３２ｄに形成したスリット状の開口部６３で収納庫外に開口している。
【００２７】
このようであるから、収納庫内外に矢印ｃで示すように空気が流通し、収納庫内部を換気できる。
【００２８】
【発明の効果】
請求項１に係る発明によれば、上下のパネル相互の突き合せ部を水密材で確実に水密できる。
また、目地材の上下被係合部が上下のパネルの下係合部、上係合部にそれぞれ係合しているので、上下のパネル相互が目地材で強固に連結され、その上下のパネル相互の連結強度が強い。
また、パネル自体が目地材の上下被係合部によって補強され、太陽光の熱や強風雨などでパネルが反ることを防止できる。
また、目地材と水密材を設ければ良いから、上下のパネル相互を簡単に突き合せ連結できる。
【００２９】
請求項２に係る発明によれば、目地材に水密材をあらかじめ取付け、その目地材を取付けることで水密材を同時に取付けできる。
よって、上下のパネル相互の連結がより一層容易である。
【００３０】
請求項３に係る発明によれば、各パネルの長手方向中間部が補強材で支持されて補強されるので、長尺なパネルであっても強風雨などで反ることがない。
また、補強材、ビスは収納庫内部から取付け、締付けできるから、障害物がある場所でもパネルを取付けて収納庫を組み立てできる。
【図面の簡単な説明】
【図１】収納車の概略斜視図である。
【図２】収納車の詳細横断面図である。
【図３】収納車の詳細断面側面図である。
【図４】収納車の詳細断面正面図である。
【図５】図４のＡ部拡大図である。
【図６】図２のＢ部拡大図である。
【符号の説明】
１…壁体、２…屋根、３…床、４…開口部、５…本体、６…扉、１０…前柱、１１…後柱、１６…側上横材、１７…側下横材、２０…パネル、２０ａ…上端面、２０ｂ…下端面、２１…目地材、２２…水密材、２３…上向き凹溝（上係合部）、２４…下向き凹溝（下係合部）、２５…本体部、２５ａ…上面、２５ｂ…下面、２６…上向き突部（上被係合部）、２７…下向き突部（下被係合部）、２８…水密材取付部、４０…補強材、４１…ビス。
【図１】
0003809606.tif 000002
【図２】
0003809606.tif 000003
【図３】
0003809606.tif 000004
【図４】
0003809606.tif 000005
【図５】
0003809606.tif 000006
【図６】
0003809606.tif 000007